(57)【特許請求の範囲】
【請求項１】
受信したデジタル放送信号から表示用の信号を生成するデジタル放送受信機において、
前記デジタル放送信号に重畳されて表示される割り込み事象の発生を検出する検出手段と、
この検出手段の検出結果に基づいて前記割り込み事象を表示させる表示手段と、
前記検出手段の検出結果に基づいて前記デジタル放送信号の蓄積を開始する蓄積手段と、
この蓄積手段により蓄積された前記デジタル放送信号の再生開始位置に対応する情報を記録する記録手段と、
前記表示手段による前記割り込み事象の表示が終了した状態で、前記記録手段に記録された再生開始位置に対応する情報に基づいて、前記蓄積手段から前記デジタル放送信号を読み出して表示に供させる再生手段と、
前記表示手段で表示した割り込み事象と同一の割り込み事象が受信された場合、その割り込み事象に対する表示処理を行なわないように制御する制御手段とを具備してなることを特徴とするデジタル放送受信機。
【請求項２】
前記デジタル放送信号が番組単位で購入することにより視聴可能となる限定受信番組である場合、前記割り込み事象は、前記限定受信番組中に設定された購入期間を含み、前記限定受信番組の購入が成立した状態で、前記割り込み事象が終了したと判断することを特徴とする請求項１記載のデジタル放送受信機。
【発明の詳細な説明】
【０００１】
【発明の属する技術分野】
この発明は、例えばデジタルテレビジョン放送等を受信するデジタル放送受信機に係り、特にデータ蓄積装置によるタイムシフト機能を利用したデジタル放送受信技術に関する。
【０００２】
【従来の技術】
まず、上記デジタル放送受信機に供給される受信信号について説明する。以下の説明において、放送情報とは、デジタル放送サービスを提供するための複数の情報を合成して得られる情報のことを称する。
【０００３】
また、映像情報や音声情報、その他の番組の中身を表わす情報を総称してコンテンツ情報と称する。例えば、通常のテレビジョン放送サービスのコンテンツを構成するコンテンツ情報は、映像情報及び音声情報からなり、通常のラジオ放送サービスのコンテンツを構成するコンテンツ情報は、音声情報のみからなる。
【０００４】
さらに、受信機により受信を制御するための情報を受信制御情報と称する。そして、上記放送情報は、１つもしくは複数のコンテンツ情報と受信制御情報とを含んでいる。
【０００５】
また、送信信号は、放送情報を所定の伝送路を通して伝送できるように変換・変調した無線電波または有線信号である。放送信号は、送信信号が伝走路を通って伝送された後、電気信号に変換される。そして、この電気信号が受信信号となる。
【０００６】
現在、実用化されているデジタル放送システムの多くは、放送情報として、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）−１３８１８−１で規定されるＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）２トランスポートストリーム（以下、ＭＰＥＧ２−ＴＳという）のストリーム形式で、各情報を多重合成した情報を用いている。
【０００７】
また、例えば電波産業審議会発行のＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）−ＳＴＤ−Ｂ１０，ＡＲＩＢ−ＳＴＤ−Ｂ２４，ＡＲＩＢ−ＳＴＤ−Ｂ２５等で規定されるように、ＭＰＥＧ２−ＴＳに多重する情報の形式は拡張されている。
【０００８】
以下、放送情報として上記のようなＭＰＥＧ２−ＴＳを用いた場合の例について説明する。放送情報は、コンテンツ情報として、映像サービスのコンテンツ情報、音声サービスのコンテンツ情報及びその他のデータ放送サービスのコンテンツ情報のいずれかもしくはその幾つかを含み、受信制御情報として、ＰＳＩ（Ｐｒｏｇｒａｍ  Ｓｐｅｃｉｆｉｃ  Ｉｎｆｏｒｍａｔｉｏｎ）を含んでいる。
【０００９】
ＰＳＩ情報には、ＡＲＩＢ−ＳＴＤ−Ｂ１０に記載されるように、受信ストリーム中に映像情報や音声情報あるいはデータ情報がどのように伝送されているかを知ることのできるＰＭＴ（Ｐｒｏｇｒａｍ  Ｍａｐ  Ｔａｂｌｅ）情報や、ＰＭＴがどのように多重されているかを知ることのできるＰＡＴ（Ｐｒｏｇｒａｍ  Ａｓｓｏｃｉａｔｉｏｎ  Ｔａｂｌｅ）情報等が含まれている。
【００１０】
また、ＭＰＥＧ２−ＴＳに多重する信号の形式は様々に拡張されており、例えば、ＡＲＩＢ−ＳＴＤ−Ｂ１０に記載されるようにＳＩ（Ｓｅｒｖｉｃｅ  Ｉｎｆｏｒｍａｔｉｏｎ）情報を含むことができ、また、ＡＲＩＢ−ＳＴＤ−Ｂ２５に記載されるように限定受信放送の受信を制御するためのＥＣＭ（Ｅｎｔｉｔｌｅｍｅｎｔ  Ｃｏｎｔｒｏｌ  Ｍａｓｓａｇｅ）や、放送局からの告知内容であるメール情報を含むことができる。
【００１１】
さらに、ＡＲＩＢ−ＳＴＤ−Ｂ２４に記載されるように、データ放送を送受信するためのコンテンツ情報（以下、データ放送コンテンツ情報という）も、同一の放送情報上で送ることができる。このデータ放送コンテンツ情報によって映像・音声情報のコンテンツ情報を参照することにより、それらのサービスを含めたマルチメディアサービスの形態でデータ放送のコンテンツを提供することが可能である。
【００１２】
デジタル放送受信機は、伝送された受信信号の受信処理を行ない、コンテンツに応じた表示を実行するための表示信号を生成する装置である。そして、表示信号は表示装置で処理され、利用者に対して映像や音声として提供される。
【００１３】
図１６は、タイムシフト機能を持つデジタル放送受信機１１の一例を示している。すなわち、受信部１２が送信信号を受け取り、その変調に対応する方式で復調した上、放送システム側の変換に対応する所定の方法で変換することにより、ＭＰＥＧ２−ＴＳ形式の受信情報を得る。
【００１４】
この受信情報は、タイムシフト蓄積再生部１３に供給される。このタイムシフト蓄積再生部１３は、入力された受信情報を蓄積情報として、内蔵の図示しない蓄積メディアに記録している。また、このタイムシフト蓄積再生部１３は、受信制御部１４の制御に基づいて、蓄積情報を元に過去の受信情報もしくはそれに相当する信号を再生情報として再現し、供給することができる。
【００１５】
この再生情報は、多重分離部１５に供給される。この多重分離部１５は、タイムシフト蓄積再生部１３からの再生情報を受け、表示処理部１６に対して映像情報・音声情報・データ情報といったコンテンツ情報や受信制御情報を分離抽出することができる。
【００１６】
そして、この表示処理部１６は、受信制御部１４の制御に基づいて、多重分離部１５より出力されるコンテンツ情報から、利用者に対して図示しない表示部で表示するための表示信号を生成している。
【００１７】
上記受信制御部１４は、デジタル放送受信機１１が一連の受信動作を行なえるように各部を制御している。また、受信制御部１４は、多重分離部１５に要求して受信制御情報を選択的に受け取り、受け取った情報から放送状態を判定して、その判定結果に応じた受信制御を行なっている。さらに、受信制御部１４は、ユーザインターフェイス部１７を介して利用者の操作情報を受け取り、操作に応じて選局等の受信動作の制御を行なっている。
【００１８】
ここで、タイムシフト動作は、利用者の操作によりユーザインターフェイス部１７を通して行なわれる。受信制御部１４は、利用者から再生を中断する操作を受けた場合、その時点で再生中の蓄積情報の蓄積メディア上における蓄積位置を再生開始情報記録部１８に記録し、次に利用者が再生を開始したときに再生開始情報記録部１８の記録に対応する蓄積情報から再生情報を再生する。
【００１９】
データ放送においては、映像・音声放送とデータとを組み合わせて番組を提供することができる。そこで、例えば映像・音声番組中にニュース速報をデータ放送情報の形式で多重放送し、映像・音声にスーパーインポーズ表示したり、映像を縮小して得られた余白部分にニュースを表示することも可能となる。
【００２０】
この場合、受信制御部１４は、受信制御情報を元にデータ放送についての情報を知ることができ、受信制御情報と利用者の操作とに基づいて、利用者の所望のデータ放送コンテンツ情報の受信を要求する。すると、データ放送コンテンツ情報は、受信部１２、タイムシフト蓄積再生部１３及び多重分離部１５を通して受信制御部１４に供給される。
【００２１】
そして、受信制御部１４は、データ放送コンテンツ情報を元にして、ＯＳＤ（Ｏｎ  Ｓｃｒｅｅｎ  Ｄｉｓｐｌａｙ）表示情報を生成し、さらに、データ放送が映像コンテンツ情報による映像と同時に提供される場合には、表示処理部１６に対して、映像情報による映像とＯＳＤ表示情報とを重ね合わせて表示するための制御や、映像を縮小表示するための制御を実行する。
【００２２】
このように、データ放送では、通常のテレビジョン放送サービスの放送を表示しながら、データ放送のサービスを提供することもある。
【００２３】
ところが、本来の番組のコンテンツが映像と音声とによって提供されている場合、データ放送による付加的な情報は、人と場合によって有用な場合もあれば、不要あるいは不急な情報である場合もある。そして、データ放送で付加的に表示した情報が不要不急な情報であった場合、利用者からすれば、そのとき不要な情報のために映像の一部を損ったり映像を縮小する等して、コンテンツの品位を低下させただけのことになる。
【００２４】
図１７は、上記限定受信放送の受信可能なデジタル放送受信機１９の一例を示している。この場合、受信制御部１４は、限定受信を管理する限定受信管理ユニット２０と接続するための図示しない接続インターフェイスを備えている。この限定受信管理ユニット２０は、ＩＣ（Ｉｎｔｅｇｒａｔｅｄ  Ｃｉｒｃｕｉｔ）カードの形態で提供されることが多い。
【００２５】
また、多重分離部１５は、放送情報のうちコンテンツ情報の部分にかけられた限定受信用の暗号を解くためのデスクランブルを行なうことができる。
【００２６】
受信制御部１４はＰＭＴを受信すると、受信情報のＰＭＴの内容を確認する。そして、ＰＭＴにより限定受信にしたがう放送であることを検出すると、ＰＭＴにしたがって多重分離部１５にＥＣＭの取り込みを要求する。その後、受信制御部１４は、取り込んだＥＣＭを受け取り、限定受信管理ユニット２０に送出し、限定受信管理ユニット２０からの応答を得る。
【００２７】
この限定受信管理ユニット２０からの応答には、視聴制限の判定結果と、デスクランブルをするための情報とが含まれ、それを元に受信制御部１４は各部を制御する。視聴可能であれば、応答内に含まれる鍵情報を多重分離部１５に設定する。鍵情報が設定されると、多重分離部１５は、コンテンツ情報のデスクランブルを行なうことができる。そして、デスクランブルされたコンテンツ情報は、表示処理部１６に供給されて映像や音声としての表示に供される。
【００２８】
また、視聴が不可能であれば、受信制御部１４は、表示処理部１６に視聴不可能であることを示すためのＯＳＤ表示情報を供給する。
【００２９】
ところで、限定受信放送のうち、番組毎に課金するいわゆるＰＰＶ（Ｐａｙ  Ｐｅｒ  Ｖｉｅｗ）番組は、基本的に購入して初めて視聴可能になるものであるが、購入前にその番組について購入判定するためのプレビュー期間が設けられている。このプレビュー期間中は、限定受信管理ユニット２０から鍵情報が提供されるため、デスクランブルを行なうことができる。
【００３０】
このプレビュー期間中には、受信制御部１４は、限定受信管理ユニット２０からの応答により、プレビュー視聴が可能であることを知ることができる。そして、プレビュー期間中は、コンテンツ情報による表示とともに、プレビュー中であることを示す表示が行なわれ、購入を促すようになっている。
【００３１】
番組を購入しないままプレビュー期間が終了すると、限定受信管理ユニット２０から視聴不可能の判定結果が出力され、鍵情報が供給されなくなるため、コンテンツ情報をデスクランブルできなくなり、番組を見ることができなくなる。
【００３２】
ただし、プレビュー期間終了後においても、所定の条件の下でその番組を購入することは可能であり、購入すると、視聴可能という判定結果とともに、鍵情報が限定受信管理ユニット２０から供給されるため、その時点からコンテンツを視聴することが可能となる。
【００３３】
また、利用者の操作に伴なって、先に図１６を参照して行なった説明と同様のタイムシフト機能を利用することができる。
【００３４】
上記のように、プレビュー期間中は、プレビュー中であることを示す表示が行なわれるため、画面の一部が遮られて利用者に不都合となる場合がある。また、プレビュー期間を過ぎると購入するまでブラックアウトされ、その後、購入したとしても、ブラックアウトされてから購入を完了するまでの期間の内容を視聴することができないことになる。いずれの場合も、利用者に対して提供する番組サービスの品位を損ねる結果となっている。
【００３５】
【発明が解決しようとする課題】
以上のように、従来のデジタル放送受信機においては、視聴番組に対して割り込み用件が生じた場合、それに関する情報を放送コンテンツと同時に表示するため、利用者にとっては本来のコンテンツの品位が損われるという場合がある。
【００３６】
また、従来のデジタル放送受信機においては、ＰＰＶ番組等のように、所定の手続きを実行することで視聴可能でありながら、その時点では視聴不可能である番組内容について、この視聴制限の条件を解消して視聴可能となった後も、購入時点より前に放送の過ぎてしまった内容については、視聴することができないという問題がある。
【００３７】
利用者が、視聴制限により視聴不可能となる前に明示的に蓄積装置に記録を開始しておけば、理論上視聴することはできるが、適切に蓄積されるかどうかは、利用者の装置の利用方法に大きく依存し、また、利用者に対して煩わしい操作を要求することになる。
【００３８】
そこで、この発明は上記事情を考慮してなされたもので、コンテンツの表示品位の低下やコンテンツ表示の部分的な欠落等を伴なうことなく、割り込み用件に関する情報を速やかに利用者に表示することを可能とした極めて良好なデジタル放送受信機を提供することを目的とする。
【００３９】
【課題を解決するための手段】
この発明に係るデジタル放送受信機は、受信したデジタル放送信号から表示用の信号を生成するものを対象としている。そして、デジタル放送信号に重畳されて表示される割り込み事象の発生を検出する検出手段と、この検出手段の検出結果に基づいて割り込み事象を表示させる表示手段と、検出手段の検出結果に基づいてデジタル放送信号の蓄積を開始する蓄積手段と、この蓄積手段により蓄積されたデジタル放送信号の再生開始位置に対応する情報を記録する記録手段と、表示手段による割り込み事象の表示が終了した状態で、記録手段に記録された再生開始位置に対応する情報に基づいて、蓄積手段からデジタル放送信号を読み出して表示に供させる再生手段と、表示手段で表示した割り込み事象と同一の割り込み事象が受信された場合、その割り込み事象に対する表示処理を行なわないように制御する制御手段とを備えるようにしたものである。
【００４０】
上記のような構成によれば、割り込み事象が終了した状態で、記録手段に記録された再生開始位置に対応する情報に基づいて、蓄積手段からデジタル放送信号を読み出して表示に供させることができるので、割り込み用件に関する情報を速やかに利用者に表示することを可能とするとともに、コンテンツの表示品位の低下やコンテンツ表示の部分的な欠落等を伴なうことも防止することができるようになる。
【００４１】
【発明の実施の形態】
以下、この発明の第１の実施の形態について図面を参照して詳細に説明する。図１において、デジタル放送受信機２１の受信部２２は、利用者の番組選択情報をユーザインターフェイス部２３から受け、その選択内容に応じて受信動作が制御される。
【００４２】
すなわち、受信部２２は、受信制御部２４の制御に基づいて、受信された信号に対して送信信号に対応した方式で選択的に復調・誤り訂正処理等を施し、ＭＰＥＧ２−ＴＳ形式の受信情報を得ている。そして、この受信情報は、タイムシフト蓄積再生部２５に供給される。
【００４３】
このタイムシフト蓄積再生部２５は、受信情報を図示しない蓄積メディアに蓄積情報として記録している。また、このタイムシフト蓄積再生部２５は、受信制御部２４の制御に基づいて、蓄積した情報を再生して過去の受信情報を復元した再生情報として取り出すことができ、この再生情報と受信情報とのどちらかを選択的に多重分離部２６に供給している。
【００４４】
この多重分離部２６では、供給された情報から映像情報・音声情報のコンテンツ情報を分離抽出し、表示処理部２７に選択的に供給している。この表示処理部２７は、多重分離部２６からのコンテンツ情報と受信制御部２４からのＯＳＤ表示情報の一方あるいは両方を元に、表示部で表示するための表示信号を生成することができる。
【００４５】
受信制御部２４は、デジタル放送受信機２１が一連の受信動作を行なえるように各部の動作を制御している。さらに、受信制御部２４は、多重分離部２６に要求してＰＳＩ情報、ＳＩ情報といった受信制御情報を選択的に受け取り、受け取った情報により放送状態を判定している。
【００４６】
また、受信制御部２４は、データ放送を再生表示するためのコンテンツ情報であるデータ放送コンテンツ情報の分離抽出を多重分離部２６に要求し、分離されたデータ放送コンテンツ情報を取得してデータ放送方式に対応する方法で処理し、ＯＳＤ表示情報を生成することができる。さらに、ユーザの操作をユーザインターフェイス部２３経由で受け付け、対応した処理を行なっている。
【００４７】
タイムシフト動作は、利用者の操作によりユーザインターフェイス部２３を通して行なわれる。受信制御部２４は、利用者から再生を中断する操作を受けた場合、その時点で再生中の蓄積情報の蓄積メディア上における蓄積位置を再生開始情報記録部２８に記録し、次に利用者が再生を開始したときに再生開始情報記録部２８の記録に対応する蓄積情報から再生情報を再生する。
【００４８】
また、受信制御部２４は、割り込み判定部２９に割り込み事象に関する情報を供給して割り込み判定を行なっている。
【００４９】
図２及び図３は、この第１の実施の形態における受信制御部２４の動作を示している。また、図４は、このときの表示信号で生成される表示映像及び受信情報の示す放送映像と、蓄積情報に蓄積される蓄積映像と、デジタル放送受信機２１の動作との関係を示している。ただし、図４の例は、タイムシフト動作が行なわれていない状態、つまり、蓄積情報の記録が開始されていない場合の例である。以下、図２乃至図４を元に割り込み事象に対するデジタル放送受信機２１の動作を説明する。
【００５０】
［割り込み検出（２１０）］
図４の時刻ｔ２の時点でデータ放送コンテンツが割り込み事象として発生発生したとする。受信制御部２４は、映像・音声情報のコンテンツを表示中に、多重分離部２６で分離され供給された受信制御情報の１つであるＰＭＴを取得し、変更により放送コンテンツ構成の変更を検出すると、ＰＭＴの内容から表示の対象となるコンテンツについて確認する。
【００５１】
もし、表示の対象となるコンテンツが、データ放送コンテンツ情報を利用して提供されるデータ放送のコンテンツであれば、多重分離部２６にデータ放送コンテンツ情報の分離抽出を要求する。
【００５２】
受信制御部２４が多重分離部２６から要求にしたがったデータ放送コンテンツ情報を受け取る（２１１）と、その内容を割り込み判定部２９に供給して確認し、割り込み事象であるかどうか判定する（２１２）。
【００５３】
以上の確認の結果、このデータ放送コンテンツがそれまで再生していた映像・音声放送を利用して提供されるものであれば、データ放送コンテンツを映像・音声コンテンツに対する割り込み事象と判定し、検出する（２１３）。
【００５４】
また、利用者の受信機２１の操作が行なわれた場合も、同様に割り込み事象を判定し、検出する。この場合の割り込み事象とは、タイムシフト蓄積再生部２５におけるコンテンツ情報の記録が可能な状態で、かつ、利用者が一時的に関連したデータ放送内容等、別の放送サービスや受信機２１固有の機能を利用していることを指し、例えば、利用者が視聴中の番組に附随するデータ放送番組を表示する場合や、受信機２１の設定メニューを呼び出した場合等が考えられる。
【００５５】
［タイムシフト動作指示（２２０）］
割り込み事象を検出したとき、記録位置の取得時にタイムシフト蓄積再生部２５で蓄積情報の記録が開始されていなければ（２２１）、記録を開始するように制御する（２２２）。また、タイムシフト蓄積再生部２５が再生中である場合（２２３）、再生を中断するように制御する（２２４）。
【００５６】
そして、タイムシフト蓄積再生部２５から、次に再生を行なうときの蓄積情報の蓄積メディア中における再生開始位置の情報を取得する。メディア中の再生開始位置は、既に再生が開始されていて、タイムシフト蓄積再生部２５が再生中断中であれば、再生を中断した時点の蓄積情報の位置であり、再生を開始していない状態であれば、蓄積を開始した位置とする。得られた再生開始位置の情報を再生開始情報として再生開始情報記録部２８に記録する（２２５）。
【００５７】
［割り込み事象実行（２３０）］
そして、割り込み事象であるデータ放送の内容をデータ放送コンテンツ情報よりＯＳＤ表示情報を生成して表示処理部２７に供給することにより表示する（２３１）。利用者が、データ放送コンテンツの内容を見終わり、ユーザインターフェイス部２３を介して終了操作を行なうと、受信制御部２４がこれを検出する（２３２）。また、該当するデータ放送コンテンツ情報もしくはそれに対応する受信制御情報が、多重分離部２６に供給される情報から消えたときも、同様に割り込み事象の終了とみなす（図４の時刻ｔ３）。
【００５８】
［タイムシフト再生開始（２４０）］
割り込み事象が終了すると、受信制御部２４は、再生開始情報記録部２８の再生開始情報を読み出し（２４１）、再生開始情報中の記録位置の情報とともに、タイムシフト蓄積再生部２５が再生の開始を行なうように制御する。
【００５９】
タイムシフト蓄積再生部２５は、受信制御部２４に従い、指定された記録位置の示す蓄積情報から再生情報を生成し、多重分離部２６に供給する。同時に、受信制御部２４は、再生情報からコンテンツ情報を分離し、このコンテンツ情報から表示信号を発生するように多重分離部２６及び表示処理部２７を制御する。以上により、再生開始位置からタイムシフト再生が開始される（２４２）。
【００６０】
また、受信制御部２４は、視聴したデータ放送コンテンツについてコンテンツを特定することのできる情報を記録し、再生開始後に同一のデータ放送コンテンツを受信しても、これを処理しないようにしている。
【００６１】
上記した第１の実施の形態によれば、本来のコンテンツを妨げる割り込み事象が生じた場合にも、それによりコンテンツの表示の品位を損うことなく、割り込み事象を利用者に表示することができる。
【００６２】
この第１の実施の形態では、コンテンツの多重の形式をＭＰＥＧ２−ＴＳ形式の例で説明しているが、これに限るものではない。例えば、時分割多重の信号で多重することや、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）パケットの形式で多重されることも考えられ、このような場合も、各部においてそれに対応した処理を行なうことで同様の効果を得るデジタル放送受信機２１を実現することができる。
【００６３】
また、この第１の実施の形態では、多重分離部２６よりタイムシフト蓄積再生部２５に再生情報を記録しているが、これに限定されるものではない。例えば、各コンテンツ情報及びＰＭＴ情報を選択的に記録することも考えられ、特にコンテンツ情報の中でも必要な情報のみを選択的に記録することも考えられる。さらに、これらの情報を可逆的に圧縮して記録することも考えられる。
【００６４】
いずれにしろ、再生が再開された後に、利用者の所望する放送内容を復元するために十分な再生情報を生成することができるような形でタイムシフト蓄積再生部２５に対して情報を供給し、供給された情報をタイムシフト蓄積再生部２５が蓄積情報として蓄積し、蓄積情報から再生情報を再生することは、この発明の範疇である。
【００６５】
この第１の実施の形態では、割り込み事象として映像・音声コンテンツを利用するデータ放送コンテンツを考えたが、これは１例であり、他にも、例えば、映像・音声コンテンツと独立したデータが多重され、このデータを検出したときを割り込み事象の発生とみなすこともできる。また、放送システムや通信回線を介したメールの受信を割り込み事象とみなし、同様の動作を行なわせることも考えられる。
【００６６】
さらに、この第１の実施の形態で説明した割り込み事象の判定方法は１例であり、受信情報中に含まれるコンテンツ情報が割り込み事象であることを判定する方法、判定を行なうための情報を組み込む方式は様々に考えられる。例えば、データ放送コンテンツ情報内に割り込み事象であることを明示する情報を組み込んで、データ放送コンテンツの受信時に、これを用いて割り込み事象であるか否かを判定する方法も考えられる。
【００６７】
また、この第１の実施の形態で説明した接続関係は一例である。例えば、受信部２２から多重分離部２６に受信情報を直接供給することも考えられる。この場合、多重分離部２６は、タイムシフト蓄積再生部２５からの再生情報と、受信部２２からの受信情報とのどちらかを選択的に多重分離する場合と、両方を多重分離する場合とが考えられる。
【００６８】
このうち、選択的に多重分離する場合には、タイムシフト再生開始時に受信制御部２４の制御により再生情報を分離するようにする。また、両方を多重分離する場合には、多重分離した後のコンテンツ情報を選択するように制御するが、再生情報側からコンテンツ情報と再生情報用の受信制御情報とを取得し、受信情報側からデータ放送コンテンツ情報と受信制御情報とを取得し、受信情報からの情報を元に割り込み事象を判定することにすると、割り込み事象発生時に即座に実行することができる。
【００６９】
図５及び図６は、この発明の第２の実施の形態における受信制御部２４の動作を示している。また、図７は、このときの表示信号で生成される表示映像及び受信情報の示す放送映像と、蓄積情報に蓄積される蓄積映像と、デジタル放送受信機２１の動作との関係を示している。ただし、図７の例は、タイムシフト動作が行なわれていない状態、つまり、蓄積情報の記録が開始されていない場合の例である。以下、図５乃至図７を元に割り込み事象に対するデジタル放送受信機２１の動作を説明する。
【００７０】
［割り込み検出（５１０）］
図７の時刻ｔ１の時点では、割り込み事象は検出されない。ｔ２の時点でデータ放送コンテンツが割り込み事象として発生するとする。受信制御部２４は、映像・音声情報のコンテンツを表示中に、多重分離部２６で分離され供給された受信制御情報の１つであるＰＭＴを取得し、変更により放送コンテンツ構成の変更を検出すると、ＰＭＴの内容から表示の対象となるコンテンツについて確認する。
【００７１】
もし、表示の対象となるコンテンツが、データ放送コンテンツ情報を利用して提供されるデータ放送のコンテンツであれば、多重分離部２６にデータ放送コンテンツ情報の分離抽出を要求する。
【００７２】
受信制御部２４が多重分離部２６から要求にしたがったデータ放送コンテンツ情報を受け取る（５１１）と、その内容を割り込み判定部２９に供給して確認し、割り込み事象であるかどうか判定する（５１２）。
【００７３】
以上の確認の結果、このデータ放送コンテンツがそれまで再生していた映像・音声放送を利用して提供されるものであれば、データ放送コンテンツを映像・音声コンテンツに対する割り込み事象と判定し、検出する（５１３）。
【００７４】
また、利用者の受信機２１の操作が行なわれた場合も、同様に割り込み事象を判定し、検出する。この場合の割り込み事象とは、タイムシフト蓄積再生部２５におけるコンテンツ情報の記録が可能な状態で、かつ、利用者が一時的に関連したデータ放送内容等、別の放送サービスや受信機２１固有の機能を利用していることを指し、例えば、利用者が視聴中の番組に附随するデータ放送番組を表示する場合や、受信機２１の設定メニューを呼び出した場合等が考えられる。
【００７５】
［タイムシフト動作指示（５２０）］
割り込み事象を検出したとき、記録位置の取得時にタイムシフト蓄積再生部２５で蓄積情報の記録が開始されていなければ（５２１）、記録を開始するように制御する（５２２）。
【００７６】
そして、タイムシフト蓄積再生部２５から、次に再生を行なうときの蓄積情報の蓄積メディア中における再生開始位置の情報を取得する。メディア中の再生開始位置は、既に再生が開始されている場合であれば、再生開始位置情報の取得時点での蓄積情報の再生位置であり、蓄積情報の記録が開始されていない状態であれば、蓄積を開始した位置とする。
【００７７】
図７の例では、蓄積を開始していない場合を示し、このとき時刻ｔ２における蓄積情報に対応した記録位置を再生開始位置とする。得られた再生開始位置の情報を再生開始情報として再生開始情報記録部２８に記録する（５２５）。
【００７８】
再生開始情報は、１つあるいは予め定められた個数の再生位置情報を保存することが可能である。記録できる再生位置情報が１つである場合、再生位置情報が記録されていれば上書きしない。複数の再生位置情報を保存することができる場合、情報の記録されていない場所に記録する。
【００７９】
［割り込み事象実行（５３０）］
割り込み事象の実行を行なう。割り込み事象がデータ放送コンテンツの割り込みによる場合、割り込み事象であるデータ放送の内容をデータ放送コンテンツ情報よりＯＳＤ表示情報を生成して表示処理部２７に供給することにより表示する（５３１）。
【００８０】
放送が変更され、データ放送による放送が終了するときに、ＰＭＴが変更される。そして、受信制御部２４がＰＭＴの変更を検知すると、割り込み判定部２９で判定が行なわれる。判定の結果、放送がそれまで利用していたデータ放送コンテンツによる内容を含まないことを検出すると、割り込み事象の終了と判定する（５３２）。
【００８１】
受信制御部２４は、割り込み事象の終了を受け、割り込み事象の表示を終了し、ＰＭＴの指定に基づき、コンテンツ情報を表示するように表示処理部２７を制御する。さらに、割り込み事象の開始時刻と終了時刻とを元に、再生開始情報の有効期限を算定し設定する（５３３）。ここでは、例として、有効期限を割り込み事象終了時刻のｔｄ秒後としている。割り込み事象が終了すると、割り込み検出に戻る。
【００８２】
また、割り込み事象が利用者操作による場合、メニュー操作やデータ放送の選択等、対応する割り込み処理を実行する（５３１）。その後、割り込み事象の処理にしたがい、利用者操作で割り込み事象が終了した場合、上記と同様に割り込み事象の終了と判定し、同様に割り込み表示終了処理、ＰＭＴに基づくコンテンツ表示の制御を行なう。
【００８３】
［タイムシフト再生制御（５４０）］
割り込み事象の判定（５１３）で割り込み事象を検出しなかった場合、もし再生開始情報が有効であれば、受信制御部２４は、利用者からタイムシフト再生が要求されたかどうかを確認する（５４３）。タイムシフト再生の要求は、ユーザインターフェイス部２３を介して利用者の操作により行なわれる。
【００８４】
タイムシフト再生が要求された場合、受信制御部２４は、再生開始情報記録部２８の再生開始情報を読み出し（５４４）、再生開始情報中の記録位置の情報とともに、タイムシフト蓄積再生部２５が再生の開始を行なうように制御する。タイムシフト蓄積再生部２５は、受信制御部２４にしたがい、指定された記録位置の示す蓄積情報から再生情報を生成し、多重分離部２６に供給する。
【００８５】
同時に、受信制御部２４は、再生情報からコンテンツ情報を分離し、このコンテンツ情報から表示信号を発生するように多重分離部２６および表示処理部２７を制御する。以上により、再生開始位置からタイムシフト再生が開始される（５４５）。
【００８６】
また、受信制御部２４は、視聴したデータ放送コンテンツについて、コンテンツを特定することのできる情報を受信制御部２４において記録し、再生開始後に、同一のデータ放送コンテンツを受信してもこれを処理しないようにする。
【００８７】
一方、タイムシフト再生が要求されていない場合、再生開始情報が有効であるかどうかを確認する（５４７）。再生開始情報の有効期限を超過していれば、再生開始情報は無効化したとみなす。また、利用者の操作により蓄積情報の連続性が喪失している場合、再生開始情報は無効と判定する。
【００８８】
例えば、利用者の操作により別の番組を選局した場合、それまで視聴していた番組の情報が途切れるため、それまでに記憶した再生開始情報は無効化したとみなす。さらに、再生開始情報に対応する蓄積情報が消去されていた場合にも、再生開始情報を無効とみなす。
【００８９】
再生開始情報が無効化した場合には、その無効化した再生開始情報を消去する（５４８）。さらに、タイムシフト蓄積再生部２５が再生中でなく、再生開始情報の記録が存在しない場合（５４９）、タイムシフト蓄積再生部２５の蓄積を停止する（５５０）。
【００９０】
上記した第２の実施の形態によれば、本来のコンテンツを妨げる割り込み事象が生じた場合にも、利用者の求めに応じて、コンテンツの表示の品位を損わないサービスを提供することができる。
【００９１】
図８は、この発明の第３の実施の形態を示している。この第３の実施の形態では、第１及び第２の実施の形態と異なり、デジタル放送受信機３０の受信部３１から多重分離部３２に受信情報が供給されており、特に、割り込み事象にかかわる情報を受信情報から抽出するようにしたものである。
【００９２】
図８において、デジタル放送受信機３０の受信部３１は、受信信号からある搬送波の信号に対して送信システムに対応した方式で選択的に復調・誤り訂正等を行ない、ＭＰＥＧ２−ＴＳ形式の受信情報を得る。この受信情報は、タイムシフト蓄積再生部３３に供給される。
【００９３】
このタイムシフト蓄積再生部３３は、受信情報を蓄積情報として記録する。また、このタイムシフト蓄積再生部３３は、受信制御部３４の制御に基づいて、過去の受信情報を復元した再生情報として供給することができ、多重分離部３２では、再生情報が発生していない場合、供給された受信情報から映像情報・音声情報のコンテンツ情報を分離抽出し、表示処理部３５に選択的に供給している。また、再生情報が発生している場合、再生情報から映像情報・音声情報のコンテンツ情報を分離抽出し、表示処理部３５に選択的に供給する。
【００９４】
コンテンツ情報の再生に関する受信制御情報は、受信情報と再生情報のうち表示処理部３５に供給されているいずれかの情報から分離する。
【００９５】
さらに、多重分離部３２は、受信情報より割り込み事象を判定するための受信制御情報ならびにコンテンツ情報を抽出し、受信制御部３４に供給する。表示処理部３５は、多重分離部３２からのコンテンツ情報と受信制御部３４からのＯＳＤ表示情報の一方あるいは両方を元に、接続する表示部で表示するための表示信号を生成する。
【００９６】
受信制御部３４は、デジタル放送受信機３０が一連の受信動作を行なえるように各部の動作を制御している。さらに、受信制御部３４は、データ放送を再生表示するためのコンテンツ情報であるデータ放送コンテンツ情報の分離抽出を多重分離部３２に要求し、分離されたデータ放送コンテンツ情報を取得してデータ放送方式に対応する方法で処理し、ＯＳＤ表示情報を生成することができる。さらに、ユーザの操作をユーザインターフェイス部３６経由で受け付け、対応した処理を行なっている。
【００９７】
タイムシフト動作は、利用者の操作によりユーザインターフェイス部３６を通して行なわれる。受信制御部３４は、利用者から再生を中断する操作を受けた場合、その時点で再生中の蓄積情報の蓄積メディア上における蓄積位置を再生開始情報記録部３７に記録し、次に利用者が再生を開始したときに再生開始情報記録部３７の記録に対応する蓄積情報から再生情報を再生する。
【００９８】
また、受信制御部３４は、割り込み判定部３８に割り込み事象に関する情報を供給して割り込み判定を行なっている。
【００９９】
図９は、この第３の実施の形態において、表示信号で生成される表示映像及び受信情報の示す放送映像と、蓄積情報に蓄積される蓄積映像と、デジタル放送受信機３０の動作との関係を示している。この第３の実施の形態の動作は、先に示した図５及び図６と同様に説明することができる。
【０１００】
すなわち、タイムシフト再生が行なわれていない状態において、第３の実施の形態と上記した第２の実施の形態とは同じ動作を行なう。このため、以下では、タイムシフト再生が行なわれている状態での動作を説明する。このとき、蓄積情報の記録は、既に開始されている。
【０１０１】
［割り込み検出（５１０）］
受信制御部３４は、映像・音声情報のコンテンツを表示中に受信情報中の受信制御情報としてのＰＭＴの変更により放送コンテンツ構成の変更を検出すると、ＰＭＴの変更内容を確認し、表示の対象となるコンテンツを判定する。もし、表示の対象となるコンテンツが、データ放送コンテンツ情報を利用して提供されるデータ放送コンテンツであれば、多重分離部３２に受信情報からのデータ放送コンテンツの分離抽出を要求する。
【０１０２】
受信制御部３４が多重分離部３２から要求にしたがったデータ放送コンテンツ情報を受け取ると（５１１）、割り込み判定部３８を利用してその内容を確認し、割り込み事象であるかどうかを判定する（５１２）。以上の確認の結果、このデータ放送コンテンツがそれまで再生していた映像・音声放送を利用して提供されるものであれば、データ放送コンテンツを映像・音声コンテンツに対する割り込み事象と判定し検出する（５１３）。
【０１０３】
また、利用者の受信機３０の操作が行なわれた場合も、同様に割り込み事象を判定し検出する。この場合の割り込み事象とは、タイムシフト蓄積再生部３３におけるコンテンツ情報の記録が可能な状態で、かつ、利用者が一時的に別の放送サービスや受信機３０固有の機能を利用していることを指し、例えば、利用者が視聴中の番組に附随するデータ放送番組を表示する場合や、受信機３０の設定メニューを呼び出した場合がある。
【０１０４】
［タイムシフト動作指示（５２０）］
割り込み事象を検出したとき、タイムシフト蓄積再生部３３から、次に再生を行なうときの蓄積情報の蓄積メディア中における再生開始位置の情報を取得する。
【０１０５】
既に再生動作中であるため、メディア中の再生開始位置は、この時点で再生していた蓄積情報の記録位置である。これは、図９における時刻ｔａの蓄積情報に対応する記録位置にあたる。
【０１０６】
得られた情報を再生開始情報として再生開始情報記録部３７に記録する（５２５）。再生開始情報は、１つあるいは予め定められた個数の再生位置情報を保存することが可能である。記録できる再生位置情報が１つである場合、再生位置情報が記録されていれば上書きしない。複数の再生位置情報を保存することができる場合、情報の記録されていない場所に記録する。
【０１０７】
［割り込み事象実行（５３０）］
そして、割り込み事象であるデータ放送の内容をデータ放送コンテンツ情報よりＯＳＤ表示情報を生成して表示処理部３５に供給することにより表示する（５３１）。ただし、映像コンテンツ・音声コンテンツは表示しない。利用者が、データ放送コンテンツの内容を見終わり、終了操作をユーザインターフェイス部３６を介して行なうと、受信制御部３４がこれを検出する（５３２）。
【０１０８】
また、該当するデータ放送コンテンツ情報もしくはそれに対応する受信制御情報が、多重分離部３２に供給される情報から消えたときも、同様に割り込み事象の終了とみなす。
【０１０９】
割り込み事象が終了すると、割り込み事象の開始時刻と終了時刻とを元に再生開始情報の有効期限を算定し設定する（５３３）。ここでは、例として、有効期限を割り込み事象終了時刻のｔｄ秒後とする。割り込み事象が終了すると、割り込み検出に戻る。
【０１１０】
［タイムシフト再生制御（５４０）］
割り込み事象の判定（５１３）で割り込み事象を検出しなかった場合、もし再生開始情報が有効であれば、受信制御部３４は、利用者からタイムシフト再生が要求されたかどうかを確認する（５４３）。タイムシフト再生の要求は、ユーザインターフェイス部３６を介して利用者の操作により行なわれる。
【０１１１】
タイムシフト再生が要求された場合、受信制御部３４は、再生開始情報記録部３７の再生開始情報を読み出し（５４４）、再生開始情報中の記録位置の情報とともに、タイムシフト蓄積再生部３３に再生の開始を要求する。
【０１１２】
タイムシフト蓄積再生部３３は、受信制御部３４からの再生の開始要求にしたがい、指定された記録位置の示す蓄積情報から再生情報を生成し、多重分離部３２に供給する。同時に、受信制御部３４は、再生情報からコンテンツ情報を分離し、このコンテンツ情報から表示信号を発生するように多重分離部３２及び表示処理部３５を制御する。以上により、再生開始位置からタイムシフト再生が開始される（５４５）とともに、再生開始情報の記録が消去される（５４６）。
【０１１３】
上記した第３の実施の形態によれば、第１及び第２の実施の形態による効果に加え、さらに、常に受信情報を割り込み事象の検出対象とすることにより、ニュース速報等の速報性を要求される割り込み事象に対してより好ましい効果を得ることができる。
【０１１４】
図１０は、この発明の第４の実施の形態に係るデジタル放送受信機３９を示している。図１０において、図８と同一部分には同一符号を付して説明すると、この第４の実施の形態においては、第３の実施の形態においてタイムシフト蓄積再生部３３に受信部３１からの受信信号が直接供給されているところを、多重分離部３２で選択された情報のみをタイムシフト蓄積再生部３３に供給し、タイムシフト蓄積再生部３３はこれを蓄積する。受信制御部３４は、利用者が選択した結果にしたがって、コンテンツ情報とそれに対応する受信制御情報をタイムシフト蓄積再生部３３に供給するように多重分離部３２を制御する。
【０１１５】
図１０において、デジタル放送受信機３０の受信部３１は、受信信号からある搬送波の信号に対して送信信号に対応した方式で選択的に復調・誤り訂正等を行ない、ＭＰＥＧ２−ＴＳ形式の受信情報を得る。この受信情報は、多重分離部３２に供給される。
【０１１６】
この多重分離部３２では、利用者の操作にしたがい、選択されたコンテンツ情報とコンテンツ情報に関連する受信制御情報とを選択的にタイムシフト蓄積再生部３３に供給する。
【０１１７】
このタイムシフト蓄積再生部３３は、多重分離部３２より選択的に供給された情報を、蓄積情報として蓄積メディア中に記録する。また、このタイムシフト蓄積再生部３３は、タイムシフト動作時には、蓄積情報から再生した再生情報を多重分離部３２に供給する。
【０１１８】
多重分離部３２では、再生情報が発生していない場合、供給された受信情報から映像情報・音声情報のコンテンツ情報を分離抽出し、表示処理部３５に選択的に供給している。また、再生情報が発生している場合、再生情報から映像情報・音声情報のコンテンツ情報を分離抽出し、表示処理部３５に選択的に供給している。
【０１１９】
コンテンツ情報の再生に関する受信制御情報は、受信情報と再生情報のうち表示処理部３５に供給されている情報の情報源から分離する。
【０１２０】
さらに、多重分離部３２は、受信情報より割り込み事象を判定するための受信制御情報ならびにコンテンツ情報を抽出し、受信制御部３４に供給する。表示処理部３５は、多重分離部３２からのコンテンツ情報と受信制御部３４からのＯＳＤ表示情報の一方あるいは両方を元に、表示部で表示するための表示信号を生成する。
【０１２１】
受信制御部３４は、デジタル放送受信機３９が一連の受信動作を行なえるように各部の動作を制御している。さらに、受信制御部３４は、データ放送を再生表示するためのコンテンツ情報であるデータ放送コンテンツ情報の分離抽出を多重分離部３２に要求し、分離されたデータ放送コンテンツ情報を取得してデータ放送方式に対応する方法で処理し、ＯＳＤ表示情報を生成することができる。さらに、ユーザの操作をユーザインターフェイス部３６経由で受け付け、対応した処理を行なっている。
【０１２２】
タイムシフト動作は、利用者の操作によりユーザインターフェイス部３６を通して行なわれる。受信制御部３４は、利用者から再生を中断する操作を受けた場合、その時点で再生中の蓄積情報の蓄積メディア上における蓄積位置を再生開始情報記録部３７に記録し、次に利用者が再生を開始したときに再生開始情報記録部３７の記録に対応する蓄積情報から再生情報を再生する。
【０１２３】
また、受信制御部３４は、割り込み判定部３８に割り込み事象に関する情報を供給して割り込み判定を行なっている。
【０１２４】
受信制御部３４は、受信情報のうち表示対象となる情報と、それに関連する受信制御情報のみを選択してタイムシフト蓄積再生部３３に供給する。受信制御の動作は、第３の実施の形態と同様である。
【０１２５】
上記した第４の実施の形態によれば、記録後は、利用者の選択した情報以外再生できなくなるが、タイムシフト蓄積再生部３３に記録する蓄積情報の情報量が第３の実施の形態に比べて少なくて済む。
【０１２６】
図１１は、この発明の第５の実施の形態に係るデジタル放送受信機４０を示している。図１１において、図１と同一部分には同一符号を付して説明すると、受信制御部２４は、限定受信を管理する限定受信管理ユニットであるＩＣカード４１と接続するための接続インターフェイスを備え、また、多重分離部２６は、限定受信用の暗号を解くためのデスクランブル機能を備えている。
【０１２７】
限定受信放送のＰＭＴを受信し、多重分離部２６を介して受信制御部２４に供給されると、ＰＭＴ内に限定受信に関する情報が含まれ、これにより限定受信であることを検出できる。すると、受信制御部２４は、ＰＭＴの内容にしたがい、多重分離部２６にＥＣＭを取り込むように制御する。
【０１２８】
受信制御部２４は、多重分離部２６から取り込んでＥＣＭにより視聴制限状態を確認するためのコマンドを生成し、ＩＣカード４１に送出する。ＩＣカード４１は、予め所定の方法で視聴制限に関する情報が記録されており、これとコマンドの情報とを比較して、視聴制限の判定結果を含む応答を受信制御部２４に返送する。
【０１２９】
受信制御部２４は、応答を元に受信機４０の各部を制御する。視聴可能であれば、ＩＣカード４１からの応答にスクランブルを解くために必要なデスクランブル情報が含まれるので、これにより、デスクランブルを行なうよう多重分離部２６を制御し、ストリームのデスクランブルを行なう。
【０１３０】
また、視聴不可能であれば、表示処理部２７に視聴不可能であることを示す表示の表示情報を供給する。また、コマンドに含まれるＥＣＭがＰＰＶ番組に対するＥＣＭである場合、ＩＣカード４１から受信制御部２４への応答には、プレビュー視聴可であるかどうかの情報も含まれる。
【０１３１】
タイムシフト蓄積再生部２５は、受信部２２からの再生情報を受け、タイムシフト記録中は、受信中の受信情報を蓄積情報として記録し、タイムシフト機能の提供に十分な時間の過去の蓄積情報を保持し続ける。また、タイムシフト蓄積再生部２５は、タイムシフト再生中は蓄積情報から再生情報を再生し、多重分離部２６に供給する。さらに、タイムシフト蓄積再生部２５は、タイムシフト再生中でない場合、受信情報を多重分離部２６に供給し、タイムシフト再生中である場合、再生情報を多重分離部２６に供給する。
【０１３２】
以下、図１２乃至図１４を参照して、この第５の実施の形態の動作について説明する。ＩＣカード４１からのコマンド応答により、現在受信もしくは再生中の番組がＰＰＶのプレビュー状態であることを検出すると、プレビュー中の表示とともに、プレビューを開始する。
【０１３３】
プレビュー中に利用者が購入操作を開始すると、受信制御部２４は、割り込み判定部２９により購入動作を割り込み事象と判定し（１２１２）、タイムシフト蓄積再生部２５が記録中でなければ（１２２１）、タイムシフト蓄積記録を開始し（１２２２）、かつ、タイムシフト蓄積再生部２５が再生中であれば（１２２３）、タイムシフト再生を中断し（１２２４）、タイムシフト蓄積再生部２５の蓄積情報再生位置を取得し再生開始情報として再生開始情報記録部２８に記録する（１２２５）。
【０１３４】
同時に、受信制御部２４は、割り込み事象の実行を行なう（１２３１）。すなわち、映像情報の表示を消去するように表示処理部２７に要求するとともに、所定の購入処理手続にしたがい、購入処理画面のＯＳＤ表示情報を表示処理部２７に対して逐次提供する。表示処理部２７は、受信制御部２４の要求にしたがい映像情報を消去し、購入画面を表示する。
【０１３５】
利用者が購入手続処理にしたがって購入条件を設定・確認し、購入の実行を承認すると、受信制御部２４は、ＩＣカード４１に対してＥＣＭを含んだ購入要求を行ない、ＩＣカード４１から購入が成功した旨の応答を受けると、割り込み事象の終了とする（１２３２）。
【０１３６】
ＰＰＶの購入を実行して割り込み事象が終了すると、再生開始情報として記録した位置より再生を開始するようにタイムシフト蓄積再生部２５を制御する（１２４１〜１２４３）とともに、再生情報により再生を行なうように表示処理部２７を制御する（１２４４）。タイムシフト蓄積再生部２５は、制御にしたがい蓄積情報の再生を開始する。
【０１３７】
一方、プレビュー期間が終了すると（図１４の時刻ｔ２）、デジタル放送受信機４０は、利用者による購入を促す動作を行なう。受信制御部２４は、割り込み判定部２９により購入勧誘の動作を割り込み事象と判定し（１２１２，１２１３）、タイムシフト蓄積再生部２５が記録中でなければ（１２２１）、タイムシフト蓄積記録を開始し（１２２２）、かつ、タイムシフト蓄積再生部２５が再生中であれば（１２２３）、タイムシフト再生を中断し（１２２４）、タイムシフト蓄積再生部２５から現在の蓄積情報の再生位置を取得し、再生開始情報として再生開始情報記録部２８に記録する（１２２５）。
【０１３８】
同時に、受信制御部２４は、映像・音声のコンテンツ情報の提示を停止するように制御するとともに、所定の購入処理手続にしたがい、購入処理画面のＯＳＤ表示情報を表示処理部２７に対して逐次提供する。表示処理部２７は、受信制御部２４の制御にしたがい映像情報を消去し、購入画面を表示する。
【０１３９】
利用者が購入手続処理にしたがって購入条件を設定・確認し、購入の実行を承認すると、受信制御部２４は、ＩＣカード４１に対してＥＣＭを含んだ購入要求を行ない、ＩＣカード４１から購入が成功した旨の応答を受ける（図１４の時刻ｔ３）と、割り込み判定部２９は割り込み事象の終了と判定する（１２３２）。
【０１４０】
受信制御部２４は、割り込み事象の終了と購入の成功とを受け（１２４１）、再生開始情報記録部２８から再生開始情報を読み出し（１２４２）、再生開始情報として記録した位置より再生を開始するようにタイムシフト蓄積再生部２５に要求する（１２４３）とともに、コンテンツ情報により表示を実行するように表示処理部２７を制御する（１２４４）。タイムシフト蓄積再生部２５は要求にしたがい蓄積情報の再生を開始する。
【０１４１】
一方、購入せずに割り込み事象が終了した場合、受信制御部２４は、タイムシフト蓄積再生部２５による蓄積情報の記録を停止し（１２４５）、表示処理部２７において受信情報を元に表示するように、多重分離部２６で受信情報からコンテンツ情報を抽出するように制御するとともに、表示処理部２７の表示を制御する（１２４６）。
【０１４２】
購入せずに割り込み事象を終了する場合として、例えば、別の番組を選択することや、受信制御情報により番組の終了を検出すること、また、限定受信管理ユニットからの応答により番組の購入ができない期間になってしまったことを検出した場合が考えられる。
【０１４３】
上記した第５の実施の形態によれば、購入のための操作を行なっているときに、番組内容の妨げとなる表示を同時に行なってしまうことのないＰＰＶ番組を視聴できる。また、購入前にプレビュー期間が終了してしまっても、プレビュー期間中から購入するまでの期間を損なうことなく番組内容を見ることができる。
【０１４４】
なお、この第５の実施の形態においては、受信部２２、受信制御部２４、タイムシフト蓄積再生部２５、多重分離部２６、表示処理部２７、再生開始情報記録部２８が、デジタル放送受信機４０に含まれているが、これらを分離してモジュールとして提供する場合もありえる。
【０１４５】
また、この第５の実施の形態では、再生開始情報記録部２８に記録する情報として、その時点での蓄積情報の再生位置としたが、他にも多様な形式が考えられる。例えば、蓄積情報中に番組の放送時刻に関する情報が同時に記録されているとき、この情報を基準とする時刻情報、例えば番組開始時刻に対応する蓄積情報の記録位置を再生開始情報としても良い。
【０１４６】
さらに、この第５の実施の形態では、再生開始情報記録部２８に記録した再生開始情報に記録した位置をそのまま再生開始位置としているが、再生の開始時に再生開始情報を基準として求められる位置を再生再開位置としても良い。例えば再生開始情報の示す位置を含む番組の番組開始時刻を検索し、開始時刻に対応する蓄積情報を再生開始位置としても良く、また、再生開始情報から一定期間前、例えば１０秒前を再生開始位置としても良い。
【０１４７】
また、それぞれの部分が独立した装置の一部であり、それぞれの装置を結合することで機能を実現することもありえる。例えば、受信部２２とタイムシフト蓄積再生部２５と再生開始情報記録部２８とを、外付けの別の装置として構成することもありえる。これをタイムシフト蓄積再生部２５とすれば、タイムシフト蓄積再生部２５としては、独立した制御を行なうためのタイムシフト制御部を持つことになる。
【０１４８】
このような構成の装置と、それ以外の部分を持つ受信機とを接続したとき、制御部の動作は、受信制御部２４とタイムシフト蓄積再生部２５とが協調することによって、第５の実施の形態と同様な動作を行なうことになる。
【０１４９】
また、この第５の実施の形態では、再生再開を、購入開始もしくはプレビュー終了後のブラックアウト後のタイミングとしているが、他にも多様な例が考えられる。例えば、購入時点におけるＥＩＴ（Ｅｖｅｎｔ  Ｉｎｆｏｒｍａｔｉｏｎ  Ｔａｂｌｅ）より番組開始時刻を割り出し、この番組開始時刻の位置を検索して再生を開始することも考えられる。
【０１５０】
いずれにしても、購入開始やプレビュー終了といった割り込み事象の発生タイミングの記録位置を基準とした時刻に関連する情報を記録し、割り込み事象の終了後にこの記録情報を元に再生を再開することはこの発明の範疇である。
【０１５１】
以上に述べた第１乃至第５の各実施の形態において、この発明を構成する各部は、その一部あるいは全部の機能がＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）・ＭＰＵ（Ｍｉｃｒｏ  Ｐｒｏｃｅｓｓｉｎｇ  Ｕｎｉｔ）と適切なインターフェイスを用いてソフトウェア的に実現される可能性もある。
【０１５２】
また、この場合、同一のプロセッサで扱われるソフトウェア内に各機能が統合的に実現されることが多い。いずれにしろ、そのソフトウェアあるいはハードウェアの実現する機能が、この発明で提案している手段の機能を実現するものであるならば、この発明の範疇である。
【０１５３】
次に、この発明の第６の実施の形態について説明する。この第６の実施の形態の構成は、図１１に示した第５の実施の形態と同様である。この第６の実施の形態において、番組選択時に番組が視聴管理状態にあり、かつ、視聴が不可能であるとき、割り込み判定部２９において割り込み事象の検出とみなす。
【０１５４】
受信制御部２４は、割り込み事象の検出を受け、タイムシフト蓄積再生部２５が蓄積情報を記録中でなければ記録を開始し、かつ、タイムシフト蓄積再生部５が再生中であれば再生を中断する。
【０１５５】
そして、蓄積開始時の蓄積情報に対応する位置あるいは直前まで再生していた再生位置をタイムシフト蓄積再生部２５より取得し、再生開始情報として記録する。そして、割り込み事象として限定受信管理の状態を表示するように表示処理部２７にデータを供給しかつ制御する。
【０１５６】
利用者がこれを受けて、限定受信管理ユニットを別の契約情報を持つＩＣカードと差し替えるか、あるいは、追加して接続したとき、さらには契約条件の変更を検出したとき、新たな限定受信管理ユニットに対して現在蓄積中の番組のためのＥＣＭを含んだ視聴状態確認の要求を行ない、それに対する応答を得る。応答を受け、番組が視聴可能となったことを検出すると、割り込み判定部２９により割り込み事象の終了と判定する。
【０１５７】
割り込み事象が終了した場合、蓄積している番組が視聴可能であれば、受信制御部２４は再生開始情報を読み出し、該当する蓄積情報からの再生情報の再生をタイムシフト蓄積再生部２５に要求するとともに、再生情報を元に視聴動作を行なうように、多重分離部２６及び表示処理部２７を制御する。表示処理部２７は要求に基づいて表示を行なう。
【０１５８】
この第６の実施の形態によれば、番組受信の開始当初に、その時点で接続されている限定受信管理ユニットの管理に基づき視聴できない番組を選択してしまっても、後から対応する限定受信管理ユニットを接続することで番組選択直後からの番組をタイムシフト視聴の形でもれなくサービスの提供が行なえる。
【０１５９】
図１５は、この発明の第７の実施の形態を示している。この第７の実施の形態においては、デジタル放送受信装置４２とタイムシフト蓄積装置４３との２つの装置で構成される。デジタル放送受信装置４２とタイムシフト蓄積装置４３は、それぞれ、受信制御部４４とタイムシフト蓄積制御部４５を有している。この受信制御部４４とタイムシフト蓄積制御部４５とは、協調して動作することで、第３の実施の形態のデジタル放送受信機３０における受信制御部３４と同様な動作を実現する。
【０１６０】
割り込み事象が検出されたとき、受信制御部４４は、もし多重分離部４６において現在のコンテンツ情報が再生情報から分離・抽出しているのであれば、タイムシフト蓄積制御部４５に対して再生開始情報の記録を要求する。タイムシフト蓄積制御部４５は、要求にしたがい、タイムシフト蓄積再生部４７から再生情報に対応する蓄積情報の蓄積位置の位置情報を取得し、再生開始情報として再生開始情報記録部４８に記録する。
【０１６１】
受信制御部４４は、割り込み事象の解消を検出したとき、タイムシフト蓄積制御部４５に対して再生再開要求を行なう。タイムシフト蓄積制御部４５は、要求にしたがい、再生開始情報記録部４８から情報を読み出して再生を開始する。
【０１６２】
この第７の実施の形態に例示した各装置は、表示装置等と組み合わせてデジタル放送受信機の機能を発揮することもできるが、相互に協調してこの発明の機能を実現するような装置と組み合わせてこの発明と同一の効果を得ることができるものである。
【０１６３】
この第７の実施の形態において、装置の機能分割とその方法は一例である。また、装置の分割がさらに多数に及ぶことも考えられるが、接続した機器が協調的に動作し、割り込み事象を検出し、再生開始情報記録部４８に再生再開に関する情報を記録し、割り込み事象の解消後、再生開始情報にしたがいタイムシフト蓄積再生部４７に記録された蓄積情報に基づいて再生情報を供給する制御を行なうならば、この発明の範疇である。
【０１６４】
最後に、各単語の意味するところについて附則的に説明しておく。放送信号とは、放送局が放送情報を送信するための多重・変調・誤り訂正といった操作を加えた信号で、例えばＭＰＥＧ２−ＴＳ形式の放送情報に、リードソロモン符号化及びトレリス符号化の誤り訂正符号化を行ない、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）、ＰＳＫ（Ｐｈａｓｅ  Ｓｈｉｆｔ  Ｋｅｙｉｎｇ）、ＱＡＭ（Ｑｕａｄｒａｔｕｒｅ  Ａｍｐｌｉｔｕｄｅ  Ｍｏｄｕｌａｔｉｏｎ）、８ＶＳＢ（Ｖｅｓｔｉｇｉａｌ  Ｓｉｄｅｂａｎｄ）といった変調を行なった信号である。
【０１６５】
放送情報とは、放送局が意図する放送番組を提供するための情報である。例えば、映像にはＩＳＯ／ＩＥＣ１３８１８−２のＭＰＥＧ２ビデオ、音声にはＩＳＯ／ＩＥＣ１３８１８−３のＭＰＥＧ２オーディオやＩＳＯ／ＩＥＣ１３８１８−７のＭＰＥＧ２  ＡＡＣ、データにはＡＲＩＢ−ＳＴＤ−Ｂ２４に定義されるデータカルーセル等があり、それを合成する形式としてＩＳＯ／ＩＥＣ１３８１８−１で定義され、またＡＲＩＢ−ＳＴＤ−Ｂ１０，ＡＲＩＢ−ＳＴＤ−Ｂ２５等で拡張されているＭＰＥＧ２−ＴＳがある。
【０１６６】
受信情報とは、放送信号を伝送ネットワークを介して放送受信機の受信部で受信し、復調・誤り訂正処理を行なって得た情報である。
【０１６７】
再生情報とは、タイムシフト蓄積再生部に蓄積された過去の蓄積情報から再生した、過去のコンテンツを再現することのできる情報である。
【０１６８】
受信制御情報とは、受信情報中、放送受信機の受信状態を制御するために用いられる情報である。例えば、ＭＰＥＧ２−ＴＳにおける例として、ＰＳＩ情報、ＳＩ情報があげられる。
【０１６９】
コンテンツとは、放送番組を構成する映像放送・音声放送やデータ放送のサービスの中身である。
【０１７０】
コンテンツ情報とは、受信情報のうち、コンテンツを構成する情報である。
【０１７１】
蓄積情報とは、過去の受信情報のうち、少なくともコンテンツの再生を行なうために必要な情報を含んでいる情報で、タイムシフト蓄積再生部に記録される情報である。
【０１７２】
通常画面とは、所定の標準的な規格で再生される映像の画面である。例えば、ＭＰＥＧ２−ＴＳの通常画面は、普通ＰＭＴでＭＰＥＧ２ビデオとして配置される、ＭＰＥＧ２ビデオからなる。
【０１７３】
表示とは、画面による映像表示に限らず、音声による提示等、利用者へのあらゆる方法での提示を含む。
【０１７４】
タイムシフトとは、コンテンツの再生に必要な情報を記録するとともに、過去に記録した情報からコンテンツを表示することである。
【０１７５】
ＯＳＤ表示とは、通常の映像（例えば通常画面）の表示プレーンと別の表示プレーン（ＯＳＤ表示プレーン）上に表示データを生成し、重ね合わせて表示することである。重ね合わせの方法として、スーパーインポーズやオーバーレイ、αブレンディングがある。
【０１７６】
ＯＳＤ画面とは、ＯＳＤプレーン上に設定された表示データにより構成される画面である。
【０１７７】
表示処理部における表示処理とは、表示に用いる表示信号を発生するために必要な処理のことを表わす。
【０１７８】
ＰＰＶ番組とは、番組単位やコンテンツ単位、単一もしくは任意の組み合わせの映像・音声単位の課金単位毎に購入して料金を支払うことで視聴可能となる番組である。
【０１７９】
限定受信とは、一部の視聴者（有料放送の受信契約者や番組購入者）のみを対象に放送番組を提供するための仕組みである。
【０１８０】
有料放送とは、料金を支払った利用者、すなわち受信契約者のみに番組を提供する放送である。
【０１８１】
プレビューとは、ＰＰＶ番組において、番組を正式に購入する前に番組の一部を一定条件で無料で見ることができる機能、及びその機能を用いて番組を見ることである。条件については、限定受信管理ユニットが管理し、例えば、視聴制限情報と内部の契約情報とを照合して決定する。
【０１８２】
ブラックアウトとは、ＯＳＤ画面以外のコンテンツ画面や音声を消去することである。
【０１８３】
割り込み事象とは、利用者が所望するコンテンツの視聴形態に対して突発的な番組提供の都合や、番組契約上の都合により生じる外乱的要素全般である。特に考えられる割り込み事象として、放送側からのデータ放送コンテンツ情報による情報の提供や番組の視聴状態の変化、ＰＰＶにおける視聴状態の変化（プレビュー開始、購入開始、プレビュー終了等）が、この発明を適用できる事象の例としてあげられる。さらに、利用者による諸操作のうち、番組受信の連続性を損なわない種類のもの、例えば付加的なデータ放送コンテンツの選択、メニュー操作、各種の受信機の設定・調整操作が、この発明を適用できる事象の例としてあげられる。
【０１８４】
視聴可否情報とは、選択している有料コンテンツが視聴可であるか視聴不可であるかを示す情報である。
【０１８５】
視聴不可とは、映像・音声の表示が不可能な状態である。
【０１８６】
視聴可とは、映像・音声の表示が可能な状態である。
【０１８７】
データ放送コンテンツ情報とは、コンテンツ情報のうち、データ放送を構成するコンテンツ情報である。
【０１８８】
データ放送とは、通常のテレビジョン形式のサービスを構成する映像・音声の放送形式と別に定められた所定の形式で構成される放送である。
【０１８９】
ユーザインターフェイスとは、釦やリモートコマンダー等、利用者の操作を受け付けるインターフェイスである。
【０１９０】
再生開始情報とは、タイムシフト蓄積再生部が再生を開始するための蓄積情報の蓄積位置を特定し得る情報を含む情報である。
【０１９１】
割り込み表示情報とは、割り込み事象に対応する表示を行なうために表示処理部に提供される情報である。
【０１９２】
なお、この発明は上記した各実施の形態に限定されるものではなく、この外その要旨を逸脱しない範囲で種々変形して実施することができる。
【０１９３】
【発明の効果】
以上詳述したようにこの発明によれば、割り込み事象に対して速やかに提示しつつコンテンツを割り込み事象と別に提示できるため、番組のコンテンツを提示する際の品位を損なわずに利用者にサービスを提供することができる。
【０１９４】
また、この発明によれば、プレビュー中を示す画面表示や購入操作中の番組内容はタイムシフトにより表示することで利用者の妨げとなることなくＰＰＶ番組を視聴することができる。
【０１９５】
さらに、この発明によれば、購入前にプレビュー期間が終了してしまっても、ブラックアウト期間中の番組をタイムシフト再生することで、ブラックアウト期間中の番組を内容を損なうことなく視聴することができる。
【図面の簡単な説明】
【図１】この発明の第１の実施の形態を説明するために示すブロック構成図。
【図２】同第１の実施の形態における動作を説明するために示すフローチャート。
【図３】同第１の実施の形態における動作を説明するために示すフローチャート。
【図４】同第１の実施の形態における動作を表示映像上で説明するために示す図。
【図５】この発明の第２の実施の形態における動作を説明するために示すフローチャート。
【図６】同第２の実施の形態における動作を説明するために示すフローチャート。
【図７】同第２の実施の形態における動作を表示映像上で説明するために示す図。
【図８】この発明の第３の実施の形態を説明するために示すブロック構成図。
【図９】同第３の実施の形態における動作を表示映像上で説明するために示す図。
【図１０】この発明の第４の実施の形態を説明するために示すブロック構成図。
【図１１】この発明の第５及び第６の実施の形態を説明するために示すブロック構成図。
【図１２】同第５の実施の形態における動作を説明するために示すフローチャート。
【図１３】同第５の実施の形態における動作を説明するために示すフローチャート。
【図１４】同第５の実施の形態における動作を表示映像上で説明するために示す図。
【図１５】この発明の第７の実施の形態を説明するために示すブロック構成図。
【図１６】従来のデジタル放送受信機を説明するために示すブロック構成図。
【図１７】従来のデジタル放送受信機を説明するために示すブロック構成図。
【符号の説明】
１１…デジタル放送受信機、
１２…受信部、
１３…タイムシフト蓄積再生部、
１４…受信制御部、
１５…多重分離部、
１６…表示処理部、
１７…ユーザインターフェイス部、
１８…再生開始情報記録部、
１９…デジタル放送受信機、
２０…限定受信管理ユニット、
２１…デジタル放送受信機、
２２…受信部、
２３…ユーザインターフェイス部、
２４…受信制御部、
２５…タイムシフト蓄積再生部、
２６…多重分離部、
２７…表示処理部、
２８…再生開始情報記録部、
２９…割り込み判定部、
３０…デジタル放送受信機、
３１…受信部、
３２…多重分離部、
３３…タイムシフト蓄積再生部、
３４…受信制御部、
３５…表示処理部、
３６…ユーザインターフェイス部、
３７…再生開始情報記録部、
３８…割り込み判定部、
３９，４０…デジタル放送受信機、
４１…ＩＣカード、
４２…デジタル放送受信装置、
４３…タイムシフト蓄積装置、
４４…受信制御部、
４５…タイムシフト蓄積制御部、
４６…多重分離部、
４７…タイムシフト蓄積再生部、
４８…再生開始情報記録部。
【図１】
0003586181.tif 000002
【図２】
0003586181.tif 000003
【図３】
0003586181.tif 000004
【図４】
0003586181.tif 000005
【図５】
0003586181.tif 000006
【図６】
0003586181.tif 000007
【図７】
0003586181.tif 000008
【図８】
0003586181.tif 000009
【図９】
0003586181.tif 000010
【図１０】
0003586181.tif 000011
【図１１】
0003586181.tif 000012
【図１２】
0003586181.tif 000013
【図１３】
0003586181.tif 000014
【図１４】
0003586181.tif 000015
【図１５】
0003586181.tif 000016
【図１６】
0003586181.tif 000017
【図１７】
0003586181.tif 000018